(57)【要約】【課題】ソケットに掛かる荷重を抑えたランプ及び照明器具を提供する。【解決手段】発光素子１１を支持する支持体２０を有し、一端３Ａに灯具２のソケット８に装着される口金４０を設けた棒状のランプ３において、支持体２０を灯具２に固定する固定部７０を備える構成とする。【選択図】図１
2014011122.tif 000002
【特許請求の範囲】
【請求項１】
発光素子を支持する支持体を有し、一端に灯具のソケットに装着される口金を設けた棒状のランプにおいて、
前記支持体を前記灯具に固定する固定部を備えたことを特徴とするランプ。
【請求項２】
前記固定部は、前記ランプの先端に、前記ランプの軸を中心に回転可能に設けられたことを特徴とする請求項１に記載のランプ。
【請求項３】
前記支持体及び前記固定部は熱伝導性材で形成され、
前記固定部は前記支持体に取り付けられたことを特徴とする請求項１又は２に記載のランプ。
【請求項４】
発光素子を支持する支持体を有し、一端に口金を設けた棒状のランプと、
前記ランプの口金が装着されるソケットを有する灯具と、
を備えた照明器具において、
前記灯具には、前記灯具の本体から延出し、前記ランプの支持体を固定する固定具を設けたことを特徴とする照明器具。
【請求項５】
前記固定具は、前記ランプの軸線と前記灯具の反射鏡の光軸とが一致するように、前記支持体を前記灯具に固定することを特徴とする請求項４に記載の照明器具。
【請求項６】
前記固定具は、前記灯具の反射鏡を前記灯具の本体に固定するためのねじ孔に取り付けられたことを特徴とする請求項４又は５に記載の照明器具。
【発明の詳細な説明】
【技術分野】
【０００１】
本発明は、棒状に形成されたランプ、及びそのランプを備えた照明器具に関する。
【背景技術】
【０００２】
近年、発光素子の高出力化及び低コスト化に伴い、発光素子を光源とし、電球の代替として使用可能なランプが提案されている（例えば、特許文献１参照）。このランプは、一端に設けられた口金が灯具のソケットに装着される口金型のランプとして構成されている。
【先行技術文献】
【特許文献】
【０００３】
【特許文献１】特開２０１０−０１０１３４号公報
【発明の概要】
【発明が解決しようとする課題】
【０００４】
しかしながら、上記従来のランプのように、発光素子を光源としたランプは、発光素子の熱を放熱するための放熱構造を必要とするため、質量が大きくなる。このような質量のあるランプを棒状に形成し、例えば屋外で使用する場合には、振動によってソケットに加わる荷重が大きくなるおそれがある。また、質量のある棒状のランプを横向きに取り付けた場合には、曲げモーメントが大きくなるため、ソケットに加わる荷重が大きくなる。
本発明は、上述した事情に鑑みてなされたものであり、ソケットに掛かる荷重を抑えたランプ及び照明器具を提供することを目的とする。
【課題を解決するための手段】
【０００５】
上記目的を達成するために、本発明は、発光素子を支持する支持体を有し、一端に灯具のソケットに装着される口金を設けた棒状のランプにおいて、前記支持体を前記灯具に固定する固定部を備えたことを特徴とする。
【０００６】
上記構成において、前記固定部は、前記ランプの先端に、前記ランプの軸を中心に回転可能に設けられてもよい。
【０００７】
上記構成において、前記支持体及び前記固定部は熱伝導性材で形成され、前記固定部は前記支持体に取り付けられてもよい。
【０００８】
また、本発明は、発光素子を支持する支持体を有し、一端に口金を設けた棒状のランプと、前記ランプの口金が装着されるソケットを有する灯具と、を備えた照明器具において、前記灯具には、前記灯具の本体から延出し、前記ランプの支持体を固定する固定具を設けたことを特徴とする。
【０００９】
上記構成において、前記固定具は、前記ランプの軸線と前記灯具の反射鏡の光軸とが一致するように、前記支持体を前記灯具に固定してもよい。
【００１０】
上記構成において、前記固定具は、前記灯具の反射鏡を前記灯具の本体に固定するためのねじ孔に取り付けられてもよい。
【発明の効果】
【００１１】
本発明によれば、支持体を灯具に固定する固定部をランプが備えたため、ランプが口金及び固定部によって支持されるので、ソケットに掛かる荷重を抑えることができる。
【図面の簡単な説明】
【００１２】
【図１】本発明の実施形態に係る灯具を示す縦断面図である。
【図２】ランプを示す斜視図である。
【図３】図２のランプを角度を変えて示す側面図である。
【図４】ランプを示す断面図である。
【図５】光源ユニットの内部を示す斜視図である。
【図６】光源ユニットの背面図である。
【図７】図１における反射鏡の固定部分を拡大して示す図である。
【図８】本発明の変形例に係る灯具を示す図である。
【図９】本発明の変形例に係るランプ固定方法を示す断面図である。
【図１０】本発明の変形例に係るランプ固定方法を示す斜視図である。
【図１１】本発明の変形例に係るランプ固定方法を示す斜視図である。
【図１２】本発明の変形例に係るランプ固定方法を示す図である。
【発明を実施するための形態】
【００１３】
以下、図面を参照して本発明の実施の形態について説明する。
図１は、本実施形態に係る灯具を示す縦断面図である。
この図に示す照明器具１は、例えば屋外型の道路灯として用いられるものであり、道路の路肩などに立設されるポールＰの先端部ＰＡに固定される。具体的には、照明器具１は、灯具２と、この灯具２に装着されるＬＥＤランプ（ランプ）３とを備えて構成されている。灯具２は器具本体（本体）４Ａを有し、この器具本体４Ａの後側部に上記ポールＰの先端部ＰＡが挿入され、この先端部ＰＡが複数の六角ボルトＰＢにより器具本体４Ａに固定されている。
【００１４】
器具本体４Ａは、下面を開口した平面略楕円状をなし、例えばアルミダイキャスト等の熱伝導性に優れた材料を用いて形成されている。器具本体４Ａの下側には、器具本体４Ａと同じ材料（例えばアルミダイキャスト）からなる枠体４Ｂが取り付けられている。この枠体４Ｂは、その先端部がヒンジ体５により器具本体４Ａに回動自在に連結されていると共に、後端部がラッチ６により係脱可能に器具本体４Ａに係止されている。そして、このラッチ６の操作部６Ａを回動操作することにより、ラッチ６の係合が外れて枠体４Ｂが回動し、器具本体４Ａの下面を開口できるようになっている。
【００１５】
器具本体４Ａの前側部には、下面を開口した略球面状をなす反射鏡７が設けられているとともに、枠体４Ｂには、この反射鏡７の開口を覆うようにして、上面を開口した略球面状をなす硬質ガラス製のグローブ４Ｃが設けられている。
さらに、反射鏡７の前部に形成された挿通孔７Ａを挿通する状態で、ソケット８が取り付けられている。ソケット８は、横向き、より詳細には、水平面Ｈに対して所定の取り付け角度θを有して設けられている。このソケット８は、図示せぬ電線を介して端子台９に接続され、さらに、この端子台９から、ポールＰの内部の図示しない安定器や結線ボックスなどを経由して、地中などに設置された電源線に接続されている。ソケット８には、発光素子の一例たるＬＥＤ１１を光源に用いたＬＥＤランプ３が装着されている。
【００１６】
ＬＥＤランプ３は、基端（一端）３Ａに口金４０を備えた口金型のランプであり、口金４０を既設のソケット８に装着して使用でき、ＨＩＤランプの発光管と同様に棒状に延び周囲の全体から略均等に放射光が放射され、なおかつＨＩＤランプのような高出力タイプの既存の放電ランプの代わりに用いることができる程度の光出力を有する。また、このＬＥＤランプ３は、屋外で使用可能にすべく、防水が図られている。
【００１７】
ただし、放電ランプは交流電流で点灯するが、ＬＥＤ１１などの発光素子は直流電流で点灯する。したがって、ＬＥＤ１１を光源としたＬＥＤランプ３を交流の商用電源で点灯させる場合には、商用電源を直流電流に変換する電源回路を通じてＬＥＤランプ３に直流電流を供給することとなる。本実施形態のＬＥＤランプ３は電源回路を内蔵せずに、ソケット８の側に電源回路を設け、当該ソケット８から口金４０を通じて直流電流が入力される構成となっている。換言すれば、このＬＥＤランプ３を既設の放電ランプ用の灯具に装着する場合には、灯具２が備える安定器を電源回路に置き換えて使用する。
【００１８】
次いで、ＬＥＤランプ３の構成について詳述する。
図２はＬＥＤランプ３を示す斜視図であり、図３は図２のＬＥＤランプ３を角度を変えて示す側面図である。図４は、ＬＥＤランプ３を示す断面図である。
ＬＥＤランプ３は、図２及び図３に示すように、上記口金４０と、この口金４０に対して柱状に延びる収容体３０と、収容体３０の下端部に口金４０を取り付ける取付体３５と、収容体３０によって周囲に支持される複数（本実施形態では４つ）の光源ユニット１０とを備えている。口金４０は、例えばＥ２６タイプやＥ３９タイプ等の一般的にＥ型口金と呼ばれるねじ込み式（回しこみ式）のものであり、既存のサイズに合わせて構成され、既設のソケット８に螺合して装着可能になっている。口金４０には、ソケット８（図１）を通じて直流電流が供給され、各光源ユニット１０に直列に供給される。
【００１９】
収容体３０は、光源ユニット１０を支持し、かつ光源ユニット１０と口金４０との間に延びるリード線（不図示）を外部に露出することなく接続する部材であり、熱伝導性に優れた材料、例えば、アルミニウム合金を成型して形成されている。収容体３０は、略円柱状を成し、この収容体３０の外周面には、図示を省略するが、光源ユニット１０をねじ止めするねじ孔が形成されており、このねじ孔の上方にずれた位置にリード線を引き込む導入孔が形成されている。ねじ孔は、収容体３０の中心軸である軸線Ｋの周りに、支持すべき光源ユニット１０の数だけ等間隔に形成されている。すなわち、各ねじ孔に光源ユニット１０をねじ２２Ａでねじ止めすることで、これらの光源ユニット１０が軸線Ｋの周りに等間隔に支持される。光源ユニット１０は、後に詳述するが、平面視略直方形状を成し、下端側の端部がねじ２２Ａでねじ止めされ、軸線Ｋと略平行に上方に延びた片持ち支持の状態で支持される。光源ユニット１０は、平面視略直方形状を成し、下端側の一端部５２がねじ２２Ａで収容体３０にねじ止めされ、軸線Ｋと略平行に上方に延びた片持ち支持の状態で支持される。また複数の光源ユニット１０の一端部５２とは反対の端部である他端部５３は、結合部材６２によって互いに結合されて支持される。
【００２０】
結合部材６２は、剛性に優れるとともに熱伝導性に優れた材料（例えば、アルミニウム等）から形成され、複数の光源ユニット１０の一端部５２とは反対の端部である他端部５３を結合する多角形の環状（リング状）に形成され、後述する空間Ｒを軸線Ｋ方向に外部に連通させる開口６２Ａを備える。なお、結合部材６２は、リング状の他に、少なくとも１つの開口を有する板状に形成されている構成であっても良い。結合部材６２は、一端部５２が収容体３０の周囲に固定された光源ユニット１０の他端部５３を所定の位置に固定することができる形状に予め形成される。さらに、結合部材６２は、ＬＥＤランプ３を取り付けた際に、光源ユニット１０の重さにより継続的に荷重されても変形しない強度に形成されている。
結合部材６２は、各光源ユニット１０の上端面に面で接触する端面押さえ部６８Ａと、各光源ユニット１０を外周側から押さえる外周押さえ部６８Ｂとを備える。結合部材６２は、光源ユニット１０の裏面１３Ｂに突設されたねじ固定部６７に他端部側から螺合されるねじ６６で開口６２Ａ側から光源ユニット１０に固定される。
【００２１】
取付体３５には、下側から上記口金４０が冠着される。光源ユニット１０から収容体３０に引き込まれた正電位用、及び負電位用の一対のリード線（不図示）は、取付体３５の中を通って口金４０に電気的に接続される。
【００２２】
光源ユニット１０は、上述の通り、ＬＥＤ１１を光源として放射光を放射するものであり、収容体３０の軸線Ｋに沿って延びる矩形状にモジュール化して構成されている。
本実施形態のＬＥＤランプ３では、４つの光源ユニット１０を備え、これらの光源ユニット１０が各基体１３の裏面１３Ｂを内側に向け、なおかつ、収容体３０の軸線Ｋと同一方向に延びる姿勢で、当該軸線Ｋの周囲に等間隔に環状に配列され、当該収容体３０によって支持されている。これにより、軸線Ｋの全周囲に亘る範囲に光が放射されることとなる。
これら光源ユニット１０は、全て同一構造、及び形状となっており、光出力が異なるＬＥＤランプ３を構成する際には、所望の光出力に応じた数の光源ユニット１０が収容体３０に周囲に配列される。
【００２３】
図５は光源ユニット１０の内部を示す斜視図であり、図６は光源ユニット１０の背面図である。
光源ユニット１０は、ＬＥＤ１１を実装した実装基板１２と、この実装基板１２が図示せぬ電気絶縁部材を挟んで表面１３Ａに取り付けられる基体１３とを備えている。
実装基板１２は、略矩形板状のプリント配線基板であって、その表面には、複数のＬＥＤ１１と、リード線（不図示）が半田付けされて充電部を構成する電極パターン１６とが設けられている。
【００２４】
ＬＥＤ１１は、多数のＬＥＤ素子、本実施形態では、２４０個のＬＥＤ素子、を例えば格子状に平面視略矩形の範囲内に配列し、その表面を樹脂材で薄い厚みでモールドして成るものであり、その略全面が発光する。この実装基板１２には、図５に示すように、複数（図示例では３つ）のＬＥＤ１１が略隙間無く直列に配列されており、これらＬＥＤ１１によって線状の発光が得られるようになっている。このように、ＬＥＤ１１は、多数のＬＥＤ素子から成り、全体が光るように構成されているため、発光面積が大きくなり、眩しさを軽減する効果を有する。
また実装基板１２の表面積に対しＬＥＤ１１が占める領域の割合が過半以上を占めるようになっており、実装基板１２の表面が全体的に発光しているようにみせている。
電極パターン１６は、実装基板１２の端部に形成され、図示を省略したプリント配線を通じて各ＬＥＤ１１に直列又は並列に電気的に接続されている。
【００２５】
基体１３は、例えばアルミニウム等の高熱伝導性を有する金属材を押出成型して矩形板状に構成したものであり、実装基板１２をパッケージする基体、並びにＬＥＤ１１の発熱を受けて放熱するヒートシンクとして機能する。
さらに詳述すると、基体１３は、実装基板１２を内部に収容可能な大きさの薄板状（表裏が平面な板状）に形成され、その表面１３Ａには、実装基板１２を略面一に収める凹部としての実装部１３Ｃが形成されている。実装部１３Ｃは、実装基板１２と密着する形状である平面状に形成されており、当該実装基板１２から基体１３への伝熱性が高められている。
基体１３の短手方向の両側面略中央部は、短手方向外側に膨出した膨出部１２Ａが形成されており、各膨出部１２Ａには、実装部１３Ｃに収められた実装基板１２を押さえ付けるねじ１２Ｂがねじ止めされている。
【００２６】
基体１３の実装部１３Ｃには、実装基板１２の電極パターン１６に近い側の一端部（一端）５２の側に、基体１３の表裏に貫通し、実装基板１２に接続されたリード線（不図示）を裏面側に引き出すための導出孔１７が設けられている。この導出孔１７が近い一端部５２には、収容体３０にねじ止めするねじ２２Ａ（図２）を通す挿通孔１９が設けられている。また、基体１３の他端部５３にも同様に、結合部材６２にねじ止めするねじ２２Ｂを通す挿通孔１９が設けられている。
【００２７】
上記導出孔１７は、基体１３を収容体３０及び結合部材６２に固定したときに、収容体３０の上記導入孔（不図示）に繋がる位置に設けられている。これにより、上述の通り、実装基板１２の電極パターン１６に接続されたリード線（不図示）が導出孔１７、及び導入孔を通じて外部に露出することなく収容体３０の内部に引き込まれることとなる。
基体１３の裏面１３Ｂに開口する導出孔１７は、適宜のシール材によってシールされており裏面１３Ｂ側の防水が図られている。
【００２８】
表面１３Ａには、図７に示すように、実装部１３Ｃを囲む溝１８が形成されており、この溝１８には、図示は省略するが、防水用パッキンが嵌め込まれ、当該防水用パッキンを押し潰すように、図６に示すように、防水カバー１４が取り付けられている。また、基体１３の表面１３Ａと防水カバー１４との防水性のために、溝１８に防水用パッキンを嵌め込む他に、当該溝１８にコーキング剤を充填する構成であっても良い。
防水カバー１４は、透光性のある材料、例えば樹脂材を用いて、平面視楕円形状、かつ、断面半円形状に形成されたドーム状のカバー部１４Ａを備える。防水カバー１４のカバー部１４Ａの周囲には、基体１３の表面１３Ａに当接し、溝１８に嵌め込まれる防水パッキン、或いは、コーキング剤を表面１３Ａに押し付ける平板フランジ１４Ｂが一体に形成されている。これにより、平板フランジ１４Ｂと溝１８の防水パッキンの密着により、その内側の実装部１３Ｃへの水の浸入を防止でき、実装基板１２や充電部が浸水から保護される。
【００２９】
防水カバー１４の基体１３への取付構造について説明すると、平板フランジ１４Ｂには、各隅部に、防水カバー１４を基体１３に係止させる係止部１４Ｃが設けられる。各係止部１４Ｃの先端には、防水カバー１４を、基体１３の表面１３Ａに載置した際に、基体１３の裏面１３Ｂに引っ掛けられる係止爪１４Ｄが設けられている。防水カバー１４を、基体１３に取り付ける際には、係止爪１４Ｄを弾性変形させて、係止爪１４Ｄを基体１３の側面に当接させた状態で係止爪１４Ｄが基体１３の裏面１３Ｂに引っ掛かるまで押し込む。基体１３の側面には、防水カバー１４の係止部１４Ｃに係止し、防水カバー１４が基体１３の長手方向にスライドするのを防止するストッパー１３Ｄが設けられる。これらの構成によれば、簡単な構造で、光源ユニット１０の防水をすることができる。また、防水カバー１４を基体１３にねじ等を用いることなく、簡単に取り付けることができ、組み立て性が向上する。
【００３０】
このＬＥＤランプ３では、ＨＩＤランプのような高い光出力を得るために、ＬＥＤ１１の各ＬＥＤ素子を高出力化し、及び／又はＬＥＤ素子数を増やしている。このため、ＬＥＤ１１の個々の発熱が非常に多く、当該ＬＥＤ１１を光源とする光源ユニット１０には高い放熱性（冷却性）が求められる。特に、口金型のＬＥＤランプ３にあっては、灯具等とは異なり、それ単体で発熱を処理する必要があるため、高出力化が困難となっていた。
そこで本実施形態では、ＬＥＤランプ３の放熱性を次のようにして高めることとしている。
【００３１】
すなわち、光源ユニット１０にあっては、高熱伝導性材料から形成した基体１３の表面１３Ａに上記実装基板１２を密着させて設けるとともに、図４及び図６に示すように、基体１３の裏面１３Ｂに多数の放熱フィン１５を一体に設け、実装基板１２のＬＥＤ１１の発熱が放熱フィン１５を通じて放熱されるようになっている。放熱フィン１５は、基体１３の幅方向に互いに平行に複数並べて設けられ、各放熱フィン１５は、基体１３の各ストッパー１３Ｄ間に亘って長手方向に延びている。放熱フィン１５は、図４に示すように、内側から外側に向かって高さが低くなるように高さが異なる７つ放熱フィン１５から構成される。なお、これら基体１３、収容体３０及び結合部材６２は、ＬＥＤ１１を支持する支持体２０を構成している。基体１３と結合部材６２は一体に形成してもよい。
【００３２】
光源ユニット１０は、収容体３０の軸線Ｋの周りに、光源ユニット１０の各々の間に隙間Ｇを設けて配置される。これにより、ＬＥＤランプ３には、基体１３の裏面１３Ｂ側に、収容体３０の軸線Ｋに沿って延び、隙間Ｇに連通する空間Ｒが形成される。この空間Ｒは、各光源ユニット１０の裏面１３Ｂの上端から下端にかけて延び、外部と繋がり、通風路として機能する。各光源ユニット１０の裏面１３Ｂの放熱フィン１５から空間Ｒに放熱された熱は、隙間Ｇ、及び、結合部材６２の開口６２Ａを介して、ＬＥＤランプ３の放射方向、及び、軸線Ｋ方向に外部に放熱される。
【００３３】
このように、本実施形態のＬＥＤランプ３は、複数の光源ユニット１０が用いられる高出力タイプのランプであり、ＬＥＤ１１の放熱量が多く、ＬＥＤ１１の熱を放熱するための放熱構造を有する支持体２０を備えるため、比較的質量が大きい。また、ＬＥＤランプ３は、横向きに設けられた場合には、曲げモーメントが大きくなるため、ソケット８に掛かる荷重が大きくなる。
そこで、本実施形態のＬＥＤランプ３には、図２及び図３に示すように、口金４０とは別に支持体２０を灯具２に固定する固定部７０が設けられている。なお、図３では、固定部７０がＬＥＤランプ３から取り外されている。
【００３４】
固定部７０は、ＬＥＤランプ３の先端３Ｂにある結合部材６２に取り付けられる基部７１と、基部７１に対して回転自在な回転部７２とを備えて構成されている。基部７１は、細板状に形成され、環状の結合部材６２の端面押さえ部６８Ａに掛け渡されている。すなわち、基部７１は、空間Ｒ１を外部に連通させる開口６２Ａを完全に塞がないように設けられており、開口６２Ａからの放熱を阻害し難い構成となっている。この基部７１は、ＬＥＤランプ３の軸線Ｋを通るように配置され、結合部材６２を支持体２０に固定するねじ６６を用いて結合部材６２に固定される。
【００３５】
回転部７２は、基部７１にねじ７３によって固定される台座部７２Ａと、ＬＥＤランプ３の軸線Ｋに対してＬＥＤランプ３の取り付け角度θ（図１）と同じ角度θで台座部７２Ａから延びる延出部７２Ｂとを備えている。ねじ７３の中心はＬＥＤランプ３の軸線Ｋ上に一致しており、これにより、回転部７２は、軸線Ｋを中心に回転可能となっている。延出部７２Ｂには、軸線Ｋ方向に長い長孔（貫通孔）７２Ｃが形成されている。
これらの基部７１及び回転部７２を備える固定部７０は、例えばステンレス鋼板等の熱伝導性を有する金属材を用いて形成されている。
【００３６】
次に、固定部７０を灯具２に固定するための灯具２の構成について説明する。
図７は、図１における反射鏡７の固定部分を拡大して示す図である。
灯具２の器具本体４Ａには、ＬＥＤランプ３の先端側に、反射鏡７を器具本体４Ａに固定するためのボス８１が形成されている。ボス８１の端面８１Ａは水平面Ｈに平行な平坦状に形成され、ボス８１には反射鏡７をねじ止めするためのねじ孔８１Ｂが形成されている。ボス８１は、ねじ孔８１Ｂの中心Ｃが光軸Ｌと交差するように設けられている。
反射鏡７には、ボス８１に対応する位置に、平坦状の座部７Ｂが形成されており、この座部７Ｂには貫通孔７Ｃが形成されている。
【００３７】
固定部７０及び反射鏡７は、固定具９０によって器具本体４Ａに固定される。固定具９０は、器具本体４Ａのねじ孔８１Ｂに螺合されるピン状の支柱９１と、支柱９１のねじ込み量を位置決めする位置決め部９２と、支柱９１の座面と固定部７０との間に設けられるスペーサ９３とを備えている。支柱９１は、先端部にねじ部を有する、例えば半ねじを用いて構成される。位置決め部９２は支柱９１を挿通可能な円筒状に形成され、取り付け時には一端面９２Ａが反射鏡７の座部７Ｂに接し、他端面９２Ｂが延出部７２Ｂに接する。スペーサ９３も、円筒状に形成されている。
【００３８】
支柱９１は、スペーサ９３を介して固定部７０の長孔７２Ｃに通され、さらに、位置決め部９２を介して反射鏡７の貫通孔７Ｃに通されて、ボス８１のねじ孔８１Ｂにねじ止めされる。
ところで、棒状のＬＥＤランプ３をソケット８に装着した場合、各部品の製造誤差や取り付け誤差等によって、軸線Ｋが反射鏡７に対して光学設計された光軸Ｌに一致しない場合がある。したがって、位置決め部９２の長さＭはＬＥＤランプ３の軸線Ｋを反射鏡７に設定された光軸Ｌに一致させる長さＭに設定される。
また、長孔７２Ｃの中心は、ＬＥＤランプ３のソケット８へのねじ込み状態や部品の製造誤差等によって、ボス８１のねじ孔８１Ｂと軸線Ｋ方向において一致しないおそれがある。したがって、長孔７２Ｃは、ＬＥＤランプ３のねじ込み状態や部品の製造誤差を許容できる長さに形成される。
【００３９】
次に、本実施形態の作用について説明する。
本実施形態では、支持体２０を灯具２に固定する固定部７０を設けたため、ＬＥＤランプ３が口金４０及び固定部７０の２箇所で支持されるので、ＬＥＤランプ３の質量が大きくても、ソケット８に掛かる荷重を小さくできる。しかも、棒状のＬＥＤランプ３を横向きに配置した場合には、曲げモーメントが大きくなるため、特にＬＥＤランプ３が振動等を受けた際に、口金４０及びソケット８への負荷を効果的に低減できる。
【００４０】
固定部７０は、ＬＥＤランプ３の先端３Ｂに、ＬＥＤランプ３の軸線Ｋを中心に回転可能な回転部７２を備えるため、ＬＥＤランプ３の周方向の向きに応じて、固定部７０の回転部７２をＬＥＤランプ３の軸線Ｋを中心に回転させることで、回転部７２の延出部７２Ｂを一定の位置（本実施形態では、ねじ７３の下側の位置）に配置できる。したがって、ＬＥＤランプ３がどのような周方向の向きで装着されても、１つの固定部７０によって、ＬＥＤランプ３の支持体２０を灯具２に固定できるので、例えば所定の向き毎に固定部を設計する場合に比べ、部品点数を少なくできるとともに、組み立て性が向上する。
【００４１】
ＬＥＤランプ３は、先端３ＢにＬＥＤ１１を配置していないため、先端３Ｂにおいて光の放射量が少ない構成となっている。したがって、光の放射量の少ない位置に固定部７０を設けることで、所望とする放射光への影響を最小限に抑え、ＬＥＤランプ３の支持体２０を灯具２に固定できる。なお、本実施形態では、固定部７０を結合部材６２の端面押さえ部６８Ａに取り付けたが、外周押さえ部６８Ｂに取り付けてもよい。
【００４２】
固定具９０は、ＬＥＤランプ３の軸線Ｋと反射鏡７の光軸Ｌとが一致するように、支持体２０を灯具２に固定する構成とした。より詳細には、ボス８１を、ねじ孔８１Ｂの中心Ｃが光軸Ｌと交差するように設けるとともに、固定具９０の位置決め部９２を、ＬＥＤランプ３の軸線Ｋと反射鏡７の光軸Ｌとが一致する長さＭに設定した。これにより、部品の組み付け誤差や製造誤差によって、ＬＥＤランプ３の軸線Ｋが反射鏡７に設計した光軸Ｌに一致しない場合でも、ＬＥＤランプ３を固定具９０に固定することで、ＬＥＤランプ３を、軸線Ｋが光軸Ｌに近づくようにＬＥＤランプ３の位置を修正して固定できるので、ＬＥＤランプ３の光を所望の光学設計で放射させることができる。ここで、固定部７０及び固定具９０は、組み付け誤差や製造誤差のある状態でＬＥＤランプ３を固定した際に、変形しない程度の剛性を有している。
【００４３】
固定具９０の支柱９１は、反射鏡７を灯具２の器具本体４Ａに固定するためのねじ孔８１Ｂに螺合されるため、支柱９１によって反射鏡７を器具本体４Ａに固定することで、反射鏡７を固定するねじを別途必要としない。したがって、固定具９０を設けることによる部品点数の増加を最小限に抑えることができるとともに、固定具９０を固定するために新たに器具本体４Ａを設計する必要がなくなるので、照明器具１を容易に製造できる。
これらの固定部７０及び固定具９０を熱伝導性材料で形成し、固定部７０を支持体２０に取り付けたため、ＬＥＤ１１の熱が、支持体２０、固定部７０及び固定具９０を介して灯具２側に伝達され、ＬＥＤ１１の熱を効率良く放熱できる。
【００４４】
以上説明したように、本実施形態によれば、ＬＥＤランプ３が、支持体２０を灯具２に固定する固定部７０を備え、灯具２には、反射鏡７から延出し、固定部７０が固定される固定具９０を設ける構成とした。この構成により、ＬＥＤランプ３が口金４０及び固定部７０によって支持されるので、ＬＥＤランプ３の質量が大きくてもソケット８に掛かる荷重を抑えることができる。
【００４５】
また、本実施形態によれば、固定部７０は、ＬＥＤランプ３の先端３Ｂに、ＬＥＤランプ３の軸線Ｋを中心に回転可能に設けられる構成とした。この構成により、ＬＥＤランプ３の口金４０がねじ込み式のＥ型口金であっても、固定部７０の回転部７２をＬＥＤランプ３の軸線Ｋを中心に回転させることで、ＬＥＤランプ３の周方向の向きによらず、ＬＥＤランプ３の支持体２０を灯具２に容易に固定できる。
【００４６】
また、本実施形態によれば、支持体２０及び固定部７０は高熱伝導性材で形成され、固定部７０は、支持体２０に取り付けられる構成とした。この構成により、支持体２０に伝達されたＬＥＤ１１の熱が固定部７０を介して灯具２側に伝達されるので、ＬＥＤ１１の熱を効率良く放熱できる。
【００４７】
また、本実施形態によれば、固定具９０は、ＬＥＤランプ３の軸線Ｋと反射鏡７の光軸Ｌとが一致するように、支持体２０を灯具２に固定する構成とした。この構成により、ＬＥＤランプ３を固定具９０に固定することで、ＬＥＤランプ３を、軸線Ｋが光軸Ｌに近づけて固定できるので、光学設計に近づけてＬＥＤランプ３の光を放射させることができる。
【００４８】
また、本実施形態によれば、固定具９０は、反射鏡７を灯具２の器具本体４Ａに固定するためのねじ孔８１Ｂに取り付けられる構成とした。この構成により、部品点数の増加を防止できるとともに、固定具９０を固定するために新たに器具本体４Ａを設計する必要がなくなるので、照明器具１を容易に製造できる。
【００４９】
但し、上記実施の形態は本発明の一態様であり、本発明の趣旨を逸脱しない範囲において適宜変更可能であるのは勿論である。
例えば、上記実施形態では、ＬＥＤランプ３が横向きに取り付けられていたが、ＬＥＤランプ３を縦向きに取り付けてもよい。
【００５０】
また、上記実施形態では、固定具９０は、ピン形状であったが、これに限定されるものではなく、例えば板状やワイヤ状であってもよい。
図８は、板状の固定具１９０を用いた照明器具１００を示す縦断面図である。なお、図８では、図１に示す照明器具１と同一部分には、同一の符号を付して説明を省略する。
照明器具１００の器具本体１０４Ａは、下面を開口した平面略矩形の箱状をなし、この器具本体１０４Ａの下側に、器具本体１０４Ａと同じ材料（例えばステンレス鋼板）からなる枠体１０４Ｂが取り付けられている。この枠体１０４Ｂは、その先端部（図８では、左側）がヒンジ体１０５により器具本体１０４Ａに回動自在に連結されていると共に、後端部（図８では、右側）が留め具１０６により係脱可能に器具本体１０４Ａに係止されている。そして、留め具１０６を外すことによって枠体１０４Ｂが回動し、器具本体１０４Ａの下面を開口できるようになっている。器具本体１０４Ａの前側部には、下面を開口した略球面状をなす反射鏡１０７が設けられている。枠体１０４Ｂには、反射鏡１０７の開口を覆うようにして、板状の強化ガラス製のグローブ１０４Ｃが設けられている。ソケット８は、反射鏡１０７の下方に、略水平に支持されている。
反射鏡１０７には、反射鏡１０７を器具本体１０４Ａにねじ１８２によって固定するための複数（例えば、２つ）のねじ貫通孔１０７Ｂが形成されている。器具本体１０４Ａには、反射鏡１０７を固定する取り付け具１８１が設けられている。取り付け具１８１は、反射鏡１０７の裏面の形状に沿って形成され、貫通孔１０７Ｂに対応する位置にねじ孔１８１Ｂが形成されている。
固定具１９０は、例えば熱伝導性材からなる薄板によって、器具本体１０４Ａに固定される支持部１９４と、固定部７０に向けて延出する延出部１９５とを備えて、側面視略Ｌ字状に形成されている。支持部１９４は、反射鏡１０７を器具本体１０４Ａに固定する２つのねじ１８２によって固定される。延出部１９５は、ねじ１９１によって固定部７０の長孔７２Ｃ（図２）に固定される。延出部１９５は、反射鏡１０７の光軸Ｌに交差するように設けられるとともに、ＬＥＤランプ３の軸線Ｋと反射鏡７の光軸Ｌとが一致する長さＭに形成される。
このように、固定具１９０を側面視略Ｌ字状に形成することにより、照明器具１００が、固定部７０の長孔７２Ｃと、反射鏡１０７を器具本体１０４Ａに固定するねじ孔１８１Ｂとが、軸線Ｋ方向において一致しない構成であっても、固定部７０を灯具２に固定することができる。
【００５１】
また、上記実施の形態では、口金４０は、ねじ込み式のＥ型口金であったが、差し込み式のＰ型口金であってもよい。この場合、ＬＥＤランプ３を灯具２に取り付ける際に、ＬＥＤランプ３が回転されないため、固定部は回転部を備える必要はなく、固定部を設ける位置もＬＥＤランプ３の先端３Ｂに限定されない。但し、棒状であるＬＥＤランプ３の曲げモーメントを考慮すると、固定部２７０は、先端３Ｂ側に設ける方が望ましい。
例えば、図９に示すように、回転部を備えない固定部２７０を、ＬＥＤランプ３の軸線Ｋ方向の中間部に位置する支持体２０（基体１３）に設けることも可能である。固定部２７０は種々の形状を取り得るが、図９に示す例では、固定部２７０は、例えば熱伝導性材からなる薄板を略Ｌ字状に形成した固定片２７４を背中合わせに一体化して構成されている。各固定片２７４の一端部２７４Ａは、隣り合う光源ユニット１０間の隙間Ｇから基体１３の裏面１３Ｂ側の空間Ｒに延在し、隙間Ｇ側に位置する隣接する放熱フィン１５間に取り付けられている。各固定片２７４の他端部２７４Ｂには、貫通孔２７２Ｃが形成されており、この貫通孔２７２Ｃに図示しない固定具（例えば、ねじ）を通して、固定具を灯具２に固定することで、支持体２０が灯具２に固定される。
【００５２】
また、上記実施形態では、固定部７０が基部７１及び回転部７２を備え、基部７１が結合部材６２にねじ止めされていたが、図１０に示すように、固定部３７０が回転部７２を備え、ＬＥＤランプ３０３が、基部３７１を一体に形成した結合部材３６２を備えるようにしてもよい。これにより、部品点数を削減し、組立性を向上させることができる。さらに部品点数を少なくして組立性を図るため、図１１に示すように、固定部４７０が回転部７２を備え、ＬＥＤランプ４０３が、基体４１３と、接合部材４６２と、基部４７１を一体に形成した支持体４２０を備えるようにしてもよい。
【００５３】
また、上記実施形態では、回転部７２は、軸線Ｋが光軸Ｌと一致しないＬＥＤランプ３の位置を修正するために、比較的剛性が高くなっていたが、ＬＥＤランプ３の位置修正が不要な場合には、図１２で示す固定部５７０のように、回転部５７２の延出部５７２Ｂをステンレスの弾性を有する薄板を用いて略くの字状に形成し、器具本体４Ａから延出する位置決め部５９２の端面５９２Ｂとの角度及び高さの差Ａを吸収できる構成としてもよい。なお、図１２の例では、固定具５９０は、ねじ５９１と、位置決め部５９２と、スペーサ９３とを備え、固定部５７０の延出部５７２Ｂは、ねじ２９１によって位置決め部２９２に固定されるようになっている。
【符号の説明】
【００５４】
１，１００  照明器具
２  灯具
３，３０３，４０３  ＬＥＤランプ（ランプ）
３Ａ  一端
３Ｂ  先端
４Ａ，１０４Ａ  器具本体（灯体）
７，１０７  反射鏡
８  ソケット
１１  ＬＥＤ（発光素子）
２０，４２０  支持体
４０  口金
７０，２７０，３７０，４７０，５７０  固定部
９０，１９０，５９０  固定具
８１Ｂ，１８１Ｂ  ねじ孔
Ｋ  軸線
Ｌ  光軸
【図１】
2014011122.tif 000003
【図２】
2014011122.tif 000004
【図３】
2014011122.tif 000005
【図４】
2014011122.tif 000006
【図５】
2014011122.tif 000007
【図６】
2014011122.tif 000008
【図７】
2014011122.tif 000009
【図８】
2014011122.tif 000010
【図９】
2014011122.tif 000011
【図１０】
2014011122.tif 000012
【図１１】
2014011122.tif 000013
【図１２】
2014011122.tif 000014